(57)【要約】【課題】装置がフリーズしている場合であっても、当該装置の電源の投入／切断を行うことが可能な商品販売データ処理装置およびプログラムを提供する。【解決手段】携帯端末から操作情報を受信する通信制御部（受信手段）と、ＰＯＳ端末の電源の投入または切断を行う動作指示部（動作指示手段）とを制御する第２の制御部（第２の制御手段）を、客が購入する商品の商品情報を登録する登録処理部（登録手段）と、登録手段の登録結果に基づいて決済を行う決済処理部（決済手段）とを制御する第１の制御部（第１の制御手段）とは、電気的に分離した構成とした。そして、動作指示部は、通信制御部が携帯端末から受信した操作情報に基づいて、ＰＯＳ端末を駆動する電源の投入または切断を行う構成とした。【選択図】図４
2019139530.tif 000002
【特許請求の範囲】
【請求項１】
客が購入する商品の商品情報を登録する登録手段と、
前記登録手段の登録結果に基づいて決済を行う決済手段と、
携帯端末から操作情報を受信する受信手段と、
前記受信手段が受信した操作情報に基づいて、少なくとも、商品販売データ処理装置を駆動する電源の投入または切断を行う動作指示手段と、
前記登録手段および前記決済手段を制御する第１の制御手段と、
前記受信手段および前記動作指示手段を制御する第２の制御手段と、
を備える商品販売データ処理装置。
【請求項２】
前記受信手段は、電話回線を介して、前記携帯端末から操作情報を受信する、
ことを特徴とする請求項１に記載の商品販売データ処理装置。
【請求項３】
前記第１の制御手段と、前記第２の制御手段と、は異なるＣＰＵを備える、
ことを特徴とする請求項１または請求項２に記載の商品販売データ処理装置。
【請求項４】
前記第１の制御手段と、前記第２の制御手段と、は共通の電源部から電源を供給される、
ことを特徴とする請求項１から請求項３のいずれか１項に記載の商品販売データ処理装置。
【請求項５】
前記受信手段が受信した操作情報に基づいて、前記商品販売データ処理装置の状態を検知する状態検知手段と、
前記状態検知手段が検知した商品販売データ処理装置の状態を、前記携帯端末に送信する送信手段と、を更に備える、
ことを特徴とする請求項１から請求項４のいずれか１項に記載の商品販売データ処理装置。
【請求項６】
商品販売データ処理装置を制御するコンピュータを、
客が購入する商品の商品情報を登録する登録手段と、
前記登録手段の登録結果に基づいて決済処理を行う決済手段と、
携帯端末から操作情報を受信する受信手段と、
前記受信手段が受信した操作情報に基づいて、少なくとも、商品販売データ処理装置を駆動する電源の投入または切断を行う動作指示手段と、
前記登録手段および前記決済手段を制御する第１の制御手段と、
前記受信手段および前記動作指示手段を制御する第２の制御手段と、
して機能させるプログラム。
【発明の詳細な説明】
【技術分野】
【０００１】
本発明の実施形態は、商品販売データ処理装置およびプログラムに関する。
【背景技術】
【０００２】
小売店等の店舗に設置されて、顧客が購入した商品の販売データを処理する複数のＰＯＳ（Point  Of  Sales）端末のうち、１台のマスターＰＯＳ端末から、他のサテライトＰＯＳ端末の電源オン／オフを行うことができる商品販売データ処理装置が開示されている（例えば、特許文献１）。
【０００３】
しかしながら、このような従来の商品販売データ処理装置にあっては、サテライトＰＯＳ端末がフリーズして動作不能である場合に、当該サテライトＰＯＳ端末の電源を切断することはできなかった。そのため、サテライトＰＯＳ端末がフリーズした場合には、当該サテライトＰＯＳ端末の保守点検を行う作業者に対応を依頼しなくてはならないという問題があった。
【発明の概要】
【発明が解決しようとする課題】
【０００４】
本発明が解決しようとする課題は、装置がフリーズしている場合であっても、当該装置の電源の投入／切断を行うことが可能な商品販売データ処理装置およびプログラムを提供することである。
【課題を解決するための手段】
【０００５】
実施形態の商品販売データ処理装置は、登録手段と、決済手段と、受信手段と、動作指示手段と、第１の制御手段と、第２の制御手段と、を備える。登録手段は、客が購入する商品の商品情報を登録する。決済手段は、登録手段の登録結果に基づいて決済を行う。受信手段は、携帯端末から操作情報を受信する。動作指示手段は、受信手段が受信した操作情報に基づいて、少なくとも、商品販売データ処理装置を駆動する電源の投入または切断を行う。第１の制御手段は、登録手段および前記決済手段を制御する。第２の制御手段は、受信手段および動作指示手段を制御する。
【図面の簡単な説明】
【０００６】
【図１】図１は、本実施の形態に係る商品販売データ処理システムの外観斜視図である。
【図２】図２は、ＰＯＳ端末のハードウェア構成の一例を示すハードウェアブロック図である。
【図３】図３は、携帯端末のハードウェア構成の一例を示すハードウェアブロック図である。
【図４】図４は、商品販売データ処理システムの機能構成の一例を示す機能ブロック図である。
【図５】図５は、携帯端末に表示される画面の一例を示す図である。
【図６】図６は、商品販売データ処理システムが行う、ＰＯＳ端末の状態検知処理の流れの一例を示すフローチャートである。
【図７】図７は、商品販売データ処理システムが行う、電源切断処理の流れの一例を示すフローチャートである。
【発明を実施するための形態】
【０００７】
以下、添付図面を参照して、発明の実施形態について説明する。なお、以下に示す実施形態では、本発明をスーパーマーケット等の店舗にて使用されるＰＯＳ端末に適用した例について説明する。
【０００８】
（ＰＯＳ端末の全体構成の説明）
図１は、本実施の形態に係る商品販売データ処理システム１の外観斜視図である。図１に示すように、商品販売データ処理システム１は、ＰＯＳ（Point  Of  Sales）端末１０と、携帯端末１００と、を備える。
【０００９】
ＰＯＳ端末１０は、キーボード４と、キャッシャ側表示操作部５と、レシートプリンタ６と、客側表示部７と、バーコードリーダー８とを備えている。なお、ＰＯＳ端末１０は、商品販売データ処理装置の一例である。
【００１０】
ユーザインタフェースであるキーボード４およびキャッシャ側表示操作部５は、ＰＯＳ端末１０の上面に、キーボード４が手前側、キャッシャ側表示操作部５が奥側に配されている。
【００１１】
キーボード４は、置数キー、クリアキー、戻りキー、小計キー、締めキー等の複数のキーを備えている。置数キーは、商品コードや金額等の数値を入力するためのテンキーである。クリアキーは、エラー発生時等に操作を取り消すためのキーである。戻りキーは、現在の操作をキャンセルして直前の画面に戻すためのキーである。小計キーは、商品を登録する商品登録処理を完了して、取引合計額の算出を宣言するためのキーである。締めキーは、入力された内容を確定して決済処理（会計処理）を行う場合に押下するキーである。
【００１２】
キャッシャ側表示操作部５は、例えばＬＣＤ（Liquid  Crystal  Display）パネル５ａ等の表示デバイスと、当該表示デバイスの表面に積層されたタッチパネル５ｂとを備えている。ＬＣＤパネル５ａは、キャッシャに対して、登録処理および決済処理等の処理状態に応じた画面を表示する。タッチパネル５ｂは、ＬＣＤパネル５ａに表示された画面、またはボタン等に対するキャッシャの押下動作を検出して、押下された位置に応じて、ＰＯＳ端末１０の動作を制御する。
【００１３】
レシートプリンタ６は、ＰＯＳ端末１０の上面左側に配されて、顧客に手渡す明細票およびレシート（領収証）を印字する。またレシートプリンタ６は、発行口６ａを備えて、印字したレシートを発行する。
【００１４】
客側表示部７は、ＬＣＤパネル（図２参照）を備えており、ＰＯＳ端末１０の上面奥側に設けられている。客側表示部７は、表示面を客に向けて配置され、登録した商品の金額、取引合計額等を表示する。なお、以下では、客側表示部７をＬＣＤパネル７として記載する場合がある。
【００１５】
さらに、ＰＯＳ端末１０には、商品に貼付されたバーコードから、当該バーコードが保持するコードデータを読み取るバーコードリーダー８が接続されている。バーコードリーダー８は、コードデータの受光信号をデコード（復号）して、バーコードが表現しているコードデータ（商品を特定する商品コード）を取得し、ＰＯＳ端末１０のＣＰＵ３０ａ（図２参照）に出力する。
【００１６】
また、携帯端末１００は、店舗におけるＰＯＳ端末１０の管理者、または複数の店舗の設備管理を行う管理者等が所持して、ＰＯＳ端末１０との間で、電話回線を介して、当該電話回線上でＬＴＥ（Long  Term  Evolution）等の通信規格による通信を行う。具体的には、ＰＯＳ端末１０には固有の電話番号が割り当てられており、携帯端末１００は、当該ＰＯＳ端末１０の電話番号に対して電話をかけて、携帯端末１００とＰＯＳ端末１０とを接続して通信を行う。なお、携帯端末１００は、具体的には、スマートフォン、携帯電話、タブレット端末、ＰＣ（Personal  Computer）等である。
【００１７】
携帯端末１００は、表示操作部１２２を備えている。表示操作部１２２は、例えばＬＣＤパネル１２２ａ等の表示デバイスと、当該表示デバイスの表面に積層されたタッチパネル１２２ｂとを備えている。ＬＣＤパネル１２２ａは、携帯端末１００の操作者に対して、携帯端末１００の動作状態に応じた画面を表示する。タッチパネル１２２ｂは、ＬＣＤパネル１２２ａに表示された画面、またはボタン等に対する操作者の押下動作を検出して、押下された位置に応じて、携帯端末１００の動作を制御する。
【００１８】
（ＰＯＳ端末のハードウェア構成の説明）
次に、図２を用いて、ＰＯＳ端末１０のハードウェア構成について説明する。図２は、ＰＯＳ端末１０のハードウェア構成の一例を示すハードウェアブロック図である。図２に示すように、ＰＯＳ端末１０は、商品の取引に係る登録処理および決済処理を実行する第１の制御部３０と、第１の制御部３０を駆動する電源の供給状態を制御する第２の制御部４０と、ＰＯＳ端末１０の各部（第１の制御部３０、コントローラ５０ａ、第２の制御部４０、コントローラ５０ｂ）に電源を供給する電源装置２０とを備える。第１の制御部３０と、第２の制御部４０とは、回路上は完全に分離している。
【００１９】
第１の制御部３０は、ＣＰＵ（Central  Processing  Unit）３０ａと、ＲＯＭ（Read  Only  Memory）３０ｂと、ＲＡＭ（Random  Access  Memory）３０ｃと、を備えた一般的なコンピュータの構成を有する。ＣＰＵ３０ａは、ＲＯＭ３０ｂや後述するＨＤＤ（Hard  Disk  Drive）１２に記憶された各種プログラムを読み出して、ＲＡＭ３０ｃに展開する。ＣＰＵ３０ａは、ＲＡＭ３０ｃに展開された各種プログラムに従って動作して、ＰＯＳ端末１０の全体の制御を司る。
【００２０】
第１の制御部３０は、バスラインＢＬ１を介して、ＨＤＤ１２と、コントローラ５０ａと接続する。
【００２１】
ＨＤＤ１２は、電源を切っても記憶情報を保持する。なお、ＨＤＤ１２の代わりに、フラッシュメモリ等の不揮発性メモリを備えてもよい。ＨＤＤ１２は、制御プログラムＰ１を含むプログラム等を記憶する。制御プログラムＰ１は、ＰＯＳ端末１０が備える機能を発揮させるためのプログラムである。また、ＨＤＤ１２は、ＰＬＵ（Price  Look  Up）ファイルＦ１を記憶する。ＰＬＵファイルＦ１は、商品コードと商品の名称、商品の価格等とを対応付けて記憶したマスタファイルである。なお、ＰＬＵファイルＦ１の内容は日々更新されるため、ＰＯＳ端末１０は、ＬＡＮ  Ｉ／Ｆ（Local  Area  Network  InterFace）９を介して、最新のＰＬＵファイルＦ１を店舗サーバから定期的に受信する。
【００２２】
コントローラ５０ａは、第１の制御部３０と、各種周辺機器、すなわち、前記したＬＣＤパネル５ａと、タッチパネル５ｂと、ＬＣＤパネル７と、キーボード４と、バーコードリーダー８と、レシートプリンタ６と、ＬＡＮ  Ｉ／Ｆ９と、電源装置２０と、を接続する。コントローラ５０ａは、第１の制御部３０からの指令に基づいて、接続された各種周辺機器を制御する。例えば、ＰＯＳ端末３０が正常に動作している際に電源を切断した場合、コントローラ５０ａは、第１の制御部３０からの指令に基づいて、電源装置２０から第１の制御部３０への電源の供給状態を制御する。
【００２３】
第２の制御部４０は、ＣＰＵ４０ａと、ＲＯＭ４０ｂと、ＲＡＭ４０ｃと、を備えた一般的なコンピュータの構成を有する。ＣＰＵ４０ａは、ＲＯＭ４０ｂに記憶された制御プログラムＰ２を読み出して、ＲＡＭ４０ｃに展開する。ＣＰＵ４０ａは、ＲＡＭ４０ｃに展開された制御プログラムＰ２に従って動作して、電源装置２０の動作状態を制御する。具体的には、第２の制御部４０は、電源装置２０が出力する電圧を、第１の制御部３０およびコントローラ５０ａに供給するか否かを制御する。
【００２４】
第２の制御部４０は、バスラインＢＬ２を介して、コントローラ５０ｂ、および通信Ｉ／Ｆ５２と接続する。
【００２５】
コントローラ５０ｂは、第２の制御部４０と、電源装置２０とを接続する。コントローラ５０ｂは、第２の制御部４０からの指令に基づいて、電源装置２０から第１の制御部３０への電源の供給状態を制御する。
【００２６】
通信Ｉ／Ｆ５２は、第２の制御部４０と、携帯端末１００とをＬＴＥ等の通信規格によって接続する。通信Ｉ／Ｆ５２は、携帯端末１００から入力された情報を第２の制御部４０に伝達する。また、通信Ｉ／Ｆ５２は、第２の制御部４０が出力した情報を携帯端末１００に伝達する。
【００２７】
電源装置２０は、例えば、ＡＣ１００Ｖ等の商用電源から供給される電圧波形を、ＤＣ５Ｖ等のＰＯＳ端末１０を駆動可能な電圧波形に変換する。また、電源装置２０は、変換された電圧波形を、第１の制御部３０と、第２の制御部４０と、コントローラ５０ａ、５０ｂと、コントローラ５０ａ、５０ｂに接続された前記した各Ｉ／Ｏ機器と、に供給する。なお、電源装置２０は、電源部の一例である。また、図２には記載しないが、電源装置２０は、更に、停電時であってもＰＯＳ端末１０に電源を供給する無停電電源装置を備えていてもよい。
【００２８】
（携帯端末のハードウェア構成の説明）
次に、図３を用いて、携帯端末１００のハードウェア構成について説明する。図３は、携帯端末１００のハードウェア構成の一例を示すハードウェアブロック図である。
【００２９】
図３に示すように、携帯端末１００は、携帯端末１００の動作を制御する制御部１１０を備える。制御部１１０は、ＣＰＵ１１０ａと、ＲＯＭ１１０ｂと、ＲＡＭ１１０ｃと、を備えた一般的なコンピュータの構成を有する。ＣＰＵ１１０ａは、ＲＯＭ１１０ｂに記憶された制御プログラムＰ３を読み出して、ＲＡＭ１１０ｃに展開する。ＣＰＵ１１０ａは、ＲＡＭ１１０ｃに展開されたプログラムＰ３に従って動作して、携帯端末１００の全体の制御を司る。
【００３０】
制御部１１０は、バスラインＢＬ３を介して、コントローラ１２０、および通信Ｉ／Ｆ１３０と接続する。
【００３１】
コントローラ１２０は、制御部１１０と、前記したＬＣＤパネル１２２ａと、タッチパネル１２２ｂとを接続する。コントローラ１２０は、第１の制御部１１０からの指令に基づいて、ＬＣＤパネル１２２ａと、タッチパネル１２２ｂと、を制御する。
【００３２】
通信Ｉ／Ｆ１３０は、携帯端末１００とＰＯＳ端末１０の通信Ｉ／Ｆ５２とを、ＬＴＥ等の通信規格によって接続するインタフェースである。
【００３３】
（商品販売データ処理システムの機能構成の説明）
次に、図４を用いて、商品販売データ処理システム１の機能構成について説明する。図４は、商品販売データ処理システム１の機能構成の一例を示す機能ブロック図である。
【００３４】
ＰＯＳ端末１０は、制御プログラムＰ１（図２参照）を実行することによって、第１の制御部３０の中に、図４に示す各機能部を構成する。すなわち、第１の制御部３０は、内部に登録処理部６０と、決済処理部７０とを構成する。また、ＰＯＳ端末１０は、制御プログラムＰ２（図２参照）を実行することによって、第２の制御部４０の中に、図４に示す各機能部を構成する。すなわち、第２の制御部４０は、内部に通信制御部８０ａと、動作指示部９０と、状態検知部９２とを構成する。
【００３５】
第１の制御部３０は、登録処理部６０および決済処理部７０の動作を制御する。なお、第１の制御部３０は、第１の制御手段の一例である。
【００３６】
登録処理部６０は、客が購入する商品の商品情報を登録する登録処理を行う。なお、登録処理部６０は、登録手段の一例である。
【００３７】
決済処理部７０は、登録処理部６０が行った登録処理の登録結果に基づいて決済処理を行う。なお、決済処理部７０は、決済手段の一例である。
【００３８】
第２の制御部４０は、通信制御部８０ａと、動作指示部９０と、状態検知部９２との動作を制御する。なお、第２の制御部４０は、第２の制御手段の一例である。
【００３９】
通信制御部８０ａは、携帯端末１００の通信制御部８０ｂとの間で通信を行う。そして、通信制御部８０ａは、携帯端末１００から操作情報を受信する。また、通信制御部８０ａは、状態検知部９２が検知したＰＯＳ端末１０の状態を、携帯端末１００に送信する。なお、通信制御部８０ａは、受信手段および送信手段の一例である。
【００４０】
動作指示部９０は、通信制御部８０ａが受信した操作情報に基づいて、少なくとも、ＰＯＳ端末１０を駆動する電源の投入または切断を行う。なお、動作指示部９０は、動作指示手段の一例である。
【００４１】
状態検知部９２は、通信制御部８０ａが受信した操作情報に基づいて、ＰＯＳ端末１０の状態を検知する。なお、状態検知部９２は、状態検知手段の一例である。状態検知部９２は、具体的には、ＰＯＳ端末１０の動作状態を表す状態情報として、「登録処理中」、「決済処理中」、「待機中」、「エラー発生中」等の状態を検知する。また、ＰＯＳ端末１０がフリーズしている際は、状態検知部９２は、ＰＯＳ端末１０の状態を検知することができないため、「状態検知不能」である旨を出力する。
【００４２】
また、携帯端末１００は、制御プログラムＰ３（図３参照）を実行することによって、制御部１１０（図３参照）の内部に、表示制御部１４０と、入力受付部１５０と、通信制御部８０ｂとを備える。
【００４３】
表示制御部１４０は、携帯端末１００のＬＣＤパネル１２２ａ（図３参照）に表示する各種画面を生成する。そして、表示制御部１４０は、生成した各種画面を、ＬＣＤパネル１２２ａに表示する。
【００４４】
入力受付部１５０は、携帯端末１００のタッチパネル１２２ｂ（図３参照）に対する入力を受け付ける。そして、入力受付部１５０は、制御部１１０に対して、タッチパネル１２２ｂが受け付けた入力に応じた動作を実行させる。
【００４５】
通信制御部８０ｂは、ＰＯＳ端末１０の通信制御部８０ａとの間で通信を行う。そして、通信制御部８０ｂは、入力受付部１５０が受け付けた入力に応じた情報をＰＯＳ端末１０に送信する。また、通信制御部８０ｂは、ＰＯＳ端末１０から送信されたＰＯＳ端末１０の状態情報を受信する。
【００４６】
（携帯端末に表示される画面の説明）
次に、図５を用いて、携帯端末１００に表示される画面について説明する。図５は、携帯端末１００に表示される画面の一例を示す図である。
【００４７】
図５に示すように、携帯端末１００のＬＣＤパネル１２２ａ（タッチパネル１２２ｂ）には、携帯端末１００と接続したＰＯＳ端末１０に対する動作指示を入力する画面が表示される。なお、図５は、ＰＯＳ端末１０の電源を強制的に切断する指示を与える画面の一例である。
【００４８】
すなわち、前記した表示制御部１４０は、携帯端末１００のＬＣＤパネル１２２ａに、接続中のＰＯＳ端末１０を特定する情報（例えば電話番号）を表示するとともに、電源の強制的な切断を指示する電源切断指示ボタンＢ１を表示する。また、表示制御部１４０は、ＬＣＤパネル１２２ａに、動作の概要を簡潔に示すメッセージウインドゥＷ１を表示する。
【００４９】
携帯端末１００の操作者が電源切断指示ボタンＢ１を押下すると、入力受付部１５０は、電源切断指示ボタンＢ１が押下されたことを検出する。そして、通信制御部８０ｂは、電源切断を指示する情報をＰＯＳ端末１０に送信する。
【００５０】
なお、図示はしないが、携帯端末１００のＬＣＤパネル１２２ａには、図５に示す画面の他に、ＰＯＳ端末１０との接続を指示する画面（いわゆる電話発信画面）、ＰＯＳ端末１０の電源投入を指示する画面、ＰＯＳ端末１０の動作状態のモニタを指示する画面等が表示される。
【００５１】
（ＰＯＳ端末の状態検知処理の流れの説明）
次に、図６を用いて、商品販売データ処理システム１が行う、ＰＯＳ端末１０の状態検知処理の流れについて説明する。図６は、商品販売データ処理システム１が行う、ＰＯＳ端末１０の状態検知処理の流れの一例を示すフローチャートである。
【００５２】
まず、携帯端末１００側の処理の流れを説明する。通信制御部８０ｂは、携帯端末１００の操作者の指示（ダイヤル発信）を受けて、指定された電話番号に対応するＰＯＳ端末１０に対して通信接続を要求する（ステップＳ１０）。
【００５３】
通信制御部８０ｂは、ＰＯＳ端末１０との通信接続が完了したかを判定する（ステップＳ１１）。ＰＯＳ端末１０との通信接続が完了したと判定される（ステップＳ１１：Ｙｅｓ）と、ステップＳ１２に移行する。一方、ＰＯＳ端末１０との通信接続が完了したと判定されない（ステップＳ１１：Ｎｏ）と、例えば、タイムアウトになるまでステップＳ１１の判定を繰り返す。
【００５４】
ステップＳ１１においてＹｅｓと判定されると、ステップＳ１２において、入力受付部１５０は、携帯端末１００の操作者の指示を受け付けて、ＰＯＳ端末１０に対して、状態検知の実行を指示する。
【００５５】
続いて、通信制御部８０ｂは、ＰＯＳ端末１０から、ＰＯＳ端末１０の動作状態を示す状態情報を取得したかを判定する（ステップＳ１３）。ステップＳ１３において、状態情報を取得したと判定される（ステップＳ１３：Ｙｅｓ）と、ステップＳ１４に移行する。一方、状態情報を取得したと判定されない（ステップＳ１３：Ｎｏ）と、例えば、タイムアウトになるまでステップＳ１３の判定を繰り返す。
【００５６】
ステップＳ１３でＹｅｓと判定されると、表示制御部１４０は、受信したＰＯＳ端末１０の状態情報を、ＬＣＤパネル１２２ａに表示する（ステップＳ１４）。
【００５７】
次に、入力受付部１５０は、携帯端末１００の操作者からの接続解除指示を受け付けて、通信制御部８０ｂを介して、ＰＯＳ端末１０に接続の解除を指示する（ステップＳ１５）。
【００５８】
続いて、通信制御部８０ｂは、ＰＯＳ端末１０との接続が解除されたかを判定する（ステップＳ１６）。ＰＯＳ端末１０との接続が解除されたと判定される（ステップＳ１６：Ｙｅｓ）と、携帯端末１００は、図６の処理を終了する。一方、ＰＯＳ端末１０との接続が解除されたと判定されない（ステップＳ１６：Ｎｏ）と、例えば、タイムアウトになるまでステップＳ１６の判定を繰り返す。
【００５９】
次に、ＰＯＳ端末１０側の処理の流れを説明する。通信制御部８０ａは、携帯端末１００から接続要求があるかを判定する（ステップＳ２０）。接続要求があると判定される（ステップＳ２０：Ｙｅｓ）と、ステップＳ２１に移行する。一方、接続要求があると判定されない（ステップＳ２０：Ｎｏ）と、例えば、タイムアウトになるまでステップＳ２０の判定を繰り返す。
【００６０】
ステップＳ２０においてＹｅｓと判定されると、通信制御部８０ａは、携帯端末１００との通信を接続する（ステップＳ２１）。
【００６１】
通信制御部８０ａは、携帯端末１００との通信が接続したかを判定する（ステップＳ２２）。携帯端末１００との通信が接続したと判定される（ステップＳ２２：Ｙｅｓ）と、ステップＳ２３に移行する。一方、携帯端末１００との通信が接続したと判定されない（ステップＳ２２：Ｎｏ）と、例えば、タイムアウトになるまでステップＳ２２の判定を繰り返す。
【００６２】
ステップＳ２２においてＹｅｓと判定されると、ＰＯＳ端末１０の動作指示部９０は、携帯端末１００から、状態検知の指示を受けたかを判定する（ステップＳ２３）。状態検知の指示を受けたと判定される（ステップＳ２３：Ｙｅｓ）と、ステップＳ２４に移行する。一方、携状態検知の指示を受けたと判定されない（ステップＳ２３：Ｎｏ）と、例えば、タイムアウトになるまでステップＳ２３の判定を繰り返す。
【００６３】
ステップＳ２３においてＹｅｓと判定されると、ステップＳ２４において、状態検知部９２は、ＰＯＳ端末１０の動作状態を示す状態情報を取得する。
【００６４】
続いて、通信制御部８０ａは、状態検知部９２が取得したＰＯＳ端末１０の状態情報を、携帯端末１００に送信する（ステップＳ２５）。
【００６５】
次に、通信制御部８０ａは、携帯端末１００から接続解除要求があるかを判定する（ステップＳ２６）。接続解除要求があると判定される（ステップＳ２６：Ｙｅｓ）と、ステップＳ２７に移行する。一方、接続解除要求があると判定されない（ステップＳ２６：Ｎｏ）と、例えば、タイムアウトになるまでステップＳ２６の判定を繰り返す。
【００６６】
ステップＳ２６においてＹｅｓと判定されると、通信制御部８０ａは、携帯端末１００との接続を解除する（ステップＳ２７）。そして、ＰＯＳ端末１０は、図６の処理を終了する。
【００６７】
（ＰＯＳ端末の電源切断処理の流れの説明）
次に、図７を用いて、商品販売データ処理システム１が行う、ＰＯＳ端末１０の電源切断処理の流れについて説明する。図７は、商品販売データ処理システム１が行う、ＰＯＳ端末１０の電源切断処理の流れの一例を示すフローチャートである。
【００６８】
まず、携帯端末１００側の処理の流れを説明する。ステップＳ３０およびステップＳ３１は、それぞれ、前記したステップＳ１０およびステップＳ１１（図６参照）と同じであるため、説明を省略する。
【００６９】
次に、入力受付部１５０は、携帯端末１００の操作者の指示を受け付けて、ＰＯＳ端末１０に対して、第１の制御部３０およびコントローラ５０ａの電源切断を指示する（ステップＳ３２）。具体的には、入力受付部１５０は、図５の電源切断指示ボタンＢ１が押下されたことを検知して、電源切断が指示されたものと判断する。
【００７０】
通信制御部８０ｂは、ＰＯＳ端末１０から、電源の切断を完了した旨の情報を受信したかを判定する（ステップＳ３３）。ステップＳ３３において、電源の切断を完了した旨の情報を受信したと判定される（ステップＳ３３：Ｙｅｓ）と、ステップＳ３４に移行する。一方、電源の切断を完了した旨の情報を受信したと判定されない（ステップＳ３３：Ｎｏ）と、例えば、タイムアウトになるまでステップＳ３３の判定を繰り返す。
【００７１】
ステップＳ３３においてＹｅｓと判定されると、ステップＳ３４において、表示制御部１４０は、ＰＯＳ端末１０の第１の制御部３０およびコントローラ５０ａの電源が切断されたことを、ＬＣＤパネル１２２ａに表示する。
【００７２】
その後、携帯端末１００は、ステップＳ３５およびステップＳ３６において、ＰＯＳ端末１０との接続を解除するが、そこで行われる処理の内容は、それぞれ、前記したステップＳ１５およびステップＳ１６（図６参照）と同じであるため、説明を省略する。
【００７３】
次に、ＰＯＳ端末１０側の処理の流れを説明する。まず、通信制御部８０ａは、ステップＳ４０、Ｓ４１、Ｓ４２の処理を行って、携帯端末１００からの接続要求に基づいて、ＰＯＳ端末１０と携帯端末１００とを接続する。なお、ステップＳ４０、Ｓ４１、Ｓ４２において行われる処理は、それぞれ、前記したステップＳ２０、Ｓ２１、Ｓ２２（図６参照）で行う処理と同じであるため、説明を省略する。
【００７４】
次に、ＰＯＳ端末１０の動作指示部９０は、携帯端末１００から、電源切断の指示を受けたかを判定する（ステップＳ４３）。電源切断の指示を受けたと判定される（ステップＳ４３：Ｙｅｓ）と、ステップＳ４４に移行する。一方、電源切断の指示を受けたと判定されない（ステップＳ４３：Ｎｏ）と、例えば、タイムアウトになるまでステップＳ４３の判定を繰り返す。
【００７５】
ステップＳ４３においてＹｅｓと判定されると、ステップＳ４４において、動作指示部９０は、ＰＯＳ端末１０の第１の制御部３０およびコントローラ５０ａの電源を切断する。なお、ステップＳ４４において、第１の制御部３０およびコントローラ５０ａの電源が切断されても、第２の制御部４０には電源が供給されているため、第２の制御部４０は、図７のフローチャートの処理の実行を継続する。
【００７６】
続いて、動作指示部９０は、第１の制御部３０およびコントローラ５０ａの電源が切断されたかを判定する（ステップＳ４５）。第１の制御部３０およびコントローラ５０ａの電源が切断されたと判定される（ステップＳ４５：Ｙｅｓ）と、ステップＳ４６に移行する。一方、第１の制御部３０およびコントローラ５０ａの電源が切断されたと判定されない（ステップＳ４５：Ｎｏ）と、例えば、タイムアウトになるまでステップＳ４５の判定を繰り返す。
【００７７】
ステップＳ４５においてＹｅｓと判定されると、ステップＳ４６において、通信制御部８０ａは、第１の制御部３０およびコントローラ５０ａの電源の切断が完了したことを、携帯端末１００に送信する。
【００７８】
続いて、ＰＯＳ端末１０の通信制御部８０ａは、ステップＳ４７、Ｓ４８において、携帯端末１００からの接続解除要求に基づいて、携帯端末１００との接続を解除する。この部分で行う処理は、前記したステップＳ２６、Ｓ２７（図６参照）で行う処理と同じであるため、説明を省略する。そして、ステップＳ４８を実行した後、ＰＯＳ端末１０は、図７の処理を終了する。
【００７９】
なお、図７に示したＰＯＳ端末１０の電源切断処理は、ＰＯＳ端末１０の状態検知処理（図６参照）において、ステップＳ１４で、ＰＯＳ端末１０の動作状態が「状態検知不能」であると表示された際に、ステップＳ１４に連続して、ＰＯＳ端末１０の電源切断処理を実行させてもよい。すなわち、ＰＯＳ端末１０の状態検知不能である場合には、ＬＣＤパネル１２２ａに電源切断指示ボタンＢ１を表示させて、当該電源切断指示ボタンＢ１を選択可能とすることによって、ＰＯＳ端末１０の電源の切断を指示させるようにしてもよい。
【００８０】
以上説明したように、実施形態のＰＯＳ端末１０（商品販売データ処理装置）は、携帯端末１００から操作情報を受信する通信制御部８０ａ（受信手段）と、ＰＯＳ端末１０の電源の投入または切断を行う動作指示部９０（動作指示手段）とを制御する第２の制御部４０（第２の制御手段）を、客が購入する商品の商品情報を登録する登録処理部６０（登録手段）と、登録手段の登録結果に基づいて決済を行う決済処理部７０（決済手段）とを制御する第１の制御部３０（第１の制御手段）とは、電気的に分離した構成とした。そして、動作指示部９０は、通信制御部８０ａが携帯端末１００から受信した操作情報に基づいて、ＰＯＳ端末１０を駆動する電源の投入または切断を行う構成とした。したがって、ＰＯＳ端末１０がフリーズしている場合であっても、第１の制御部３０とは電気的に独立した第２の制御部４０の作用によって、ＰＯＳ端末１０の電源を切断することができる。また、特に、ＰＯＳ端末１０が、手が届きにくい場所に設置してある壁掛けタイプであっても、リモート操作で、容易にＰＯＳ端末１０の電源を切断することができる。
【００８１】
また、実施形態のＰＯＳ端末１０によれば、通信制御部８０ａ（受信手段）は、電話回線を介して、当該電話回線上でＬＴＥ等の通信規格による通信を行って、携帯端末１００から操作情報を受信する。したがって、例えば、Ｗｉ-Ｆｉ（登録商標）、Ｂｌｕｅｔｏｏｔｈ（登録商標）等の無線接続を利用する場合と比べて、より一層セキュリティを保つことができる。また、無線ＬＡＮが使えない場合であっても、ＰＯＳ端末１０と携帯端末１００とを接続することができる。
【００８２】
また、実施形態のＰＯＳ端末１０によれば、第１の制御部３０と、第２の制御部４０と、は異なるＣＰＵ３０ａ、４０ａを備える。したがって、ＯＳのフリーズによって第１の制御部３０が動作しない場合であっても、第２の制御部４０は、ＣＰＵ４０ａの作用によって動作を継続することができる。そのため、ＰＯＳ端末１０がフリーズした場合であっても、携帯端末１００からＰＯＳ端末１０の電源を切断することができる。
【００８３】
また、実施形態のＰＯＳ端末１０によれば、第１の制御部３０と、第２の制御部４０と、は共通の電源装置２０（電源部）から電源を供給される。したがって、ＰＯＳ端末１０を小型化することができる。
【００８４】
また、実施形態のＰＯＳ端末１０によれば、動作指示部９０（動作指示手段）は、通信制御部８０ａが受信した操作情報に基づいて、商品販売データ処理装置の状態を検知する状態検知部９２（状態検知手段）と、状態検知部９２が検知したＰＯＳ端末１０の状態を、携帯端末１００に送信する通信制御部８０ａ（送信手段）を、更に備える。したがって、携帯端末１００は、ＰＯＳ端末１０の動作状態を知ることができる。そのため、ＰＯＳ端末１０がフリーズした場合には、ＰＯＳ端末１０がフリーズしたことを検知して、自動的にＰＯＳ端末１０の電源を切断することができる。
【００８５】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８６】
例えば、前記した実施形態では、ＰＯＳ端末１０が正常に動作している場合には、第１の制御部３０からの指示によって、電源装置２０から第１の制御部３０への電源の供給状態の制御を行うものとした。そして、ＰＯＳ端末１０がフリーズしている場合には、第２の制御部４０からの指示によって電源装置２０から第１の制御部３０への電源の供給状態の制御を行うものとした。しかし、電源装置２０は、ＰＯＳ端末１０の動作状態に関わらず、第２の制御部４０からの指示によって制御するようにしてもよい。
【００８７】
また、第１の制御部３０（第２の制御部４０、制御部１１０）が実行する制御プログラムＰ１（Ｐ２、Ｐ３）は、ＨＤＤ１２（ＲＯＭ４０ｂ、ＲＯＭ１１０ｂ）に格納された状態で提供してもよいし、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供されてもよい。また、制御プログラムＰ１（Ｐ２、Ｐ３）は、ネットワークに接続したコンピュータ上に格納して、ネットワーク経由でダウンロードすることによって提供してもよい。さらに、制御プログラムＰ１（Ｐ２、Ｐ３）は、インターネット等のネットワーク経由で提供または配布してもよい。
【符号の説明】
【００８８】
１    商品販売データ処理システム
１０    ＰＯＳ端末（商品販売データ処理装置）
２０    電源装置（電源部）
３０    第１の制御部（第１の制御手段）
４０    第２の制御部（第２の制御手段）
６０    登録処理部（登録手段）
７０    決済処理部（決済手段）
８０ａ    通信制御部（受信手段、送信手段）
８０ｂ    通信制御部
９０    動作指示部（動作指示手段）
９２    状態検知部（状態検知手段）
１００    携帯端末
１１０    制御部
１４０    表示制御部
１５０    入力受付部
【先行技術文献】
【特許文献】
【００８９】
【特許文献１】特開２０１３−２５４４２５号公報
【図１】
2019139530.tif 000003
【図２】
2019139530.tif 000004
【図３】
2019139530.tif 000005
【図４】
2019139530.tif 000006
【図５】
2019139530.tif 000007
【図６】
2019139530.tif 000008
【図７】
2019139530.tif 000009